(57)【特許請求の範囲】
【請求項１】
Ａ成分：パインニードル系香料及びカンファーからなる群より選ばれる１種以上、並びに、Ｂ成分：セダーウッド油及びサンダルウッド系香料からなる群より選ばれる１種以上を少なくとも含む７歳以上の高齢ネコの尿臭消臭剤。
【請求項２】
Ａ成分とＢ成分との質量比（Ａ／Ｂ）が０．１〜１０である請求項１に記載の７歳以上の高齢ネコの尿臭消臭剤。
【請求項３】
さらにムスク系香料を含有する請求項１又は２に記載の７歳以上の高齢ネコの尿臭消臭剤。
【請求項４】
請求項１〜３のいずれか１項に記載の７歳以上の高齢ネコの尿臭消臭剤を含む７歳以上の高齢ネコの尿臭を消臭するための消臭スプレー剤。
【請求項５】
請求項１〜３のいずれか１項に記載の７歳以上の高齢ネコの尿臭消臭剤を含む７歳以上の高齢ネコの尿臭を消臭するための洗浄剤。
【請求項６】
請求項１〜３のいずれか１項に記載の７歳以上の高齢ネコの尿臭消臭剤を含む７歳以上の高齢ネコの尿臭を消臭するための排泄物処理材。
【発明の詳細な説明】
【技術分野】
【０００１】
本発明は、尿臭消臭剤に関する。
【背景技術】
【０００２】
ペットの平均寿命が延び高齢化が進んだ結果、現在飼育されているネコの飼育頭数に占める高齢ネコの割合は半数近いと言われている。
【０００３】
ネコ排泄物臭に対して顕著な消臭効果を有するペット臭消臭用香料組成物が知られている。例えば特許文献１には、特定の香料成分の組み合わせを含有するペット臭消臭用香料組成物が、ネコ排泄物臭に対しハーモナイズド効果を発揮し消臭効果を有することが記載されている。
【先行技術文献】
【特許文献】
【０００４】
【特許文献１】特開２０１０−２５４８９８号公報
【発明の概要】
【発明が解決しようとする課題】
【０００５】
本発明者らが調査したところ、ネコの尿臭のニオイは加齢に伴い変化することが分かった。すなわち、１歳未満のネコの尿は湿った茶殻様の青臭いニオイがし、１〜６歳の成年ネコの尿は硫黄系のニオイがする。一方、高齢ネコ（通常、７歳以上）の尿臭は、いわゆる汚れた公衆トイレの様な鼻にツンと来る刺激的なニオイであり、いわゆる加齢臭ともいえる嫌悪感を生じるニオイである。その原因は定かではないが、加齢に伴う腎臓機能等の低下、腸内環境の変化、代謝の低下等が関連していると推測される。従来の香料組成物は、高齢ネコの尿臭に対し十分な消臭効果を発揮しなかった。
【０００６】
本発明の目的は、高齢ネコを含むネコの尿臭に対し消臭効果を有する尿臭消臭剤を提供することにある。
【課題を解決するための手段】
【０００７】
本発明は、以下の発明を提供する。
〔１〕セダーウッド油、パインニードル系香料  、サンダルウッド系香料、カンファー、ヒノキ、ヒバ、パチュリ、ユーカリ、アビエス、ウィンターグリーン、カシア、カユプテ、クベブ、シプレス、ジュニパー、フランキンセンス及びローズマリーから選ばれる１種以上の香料成分を含む高齢ネコの尿臭消臭剤。
〔２〕Ａ：パインニードル系香料及びカンファーからなる群より選ばれる１種以上、並びに、Ｂ：セダーウッド油及びサンダルウッド系香料からなる群より選ばれる１種以上を少なくとも含む〔１〕に記載の消臭剤。
〔３〕さらにムスク系香料を含有する〔１〕又は〔２〕に記載の消臭剤。
〔４〕〔１〕〜〔３〕のいずれか１項に記載の消臭剤を含む消臭スプレー剤。
〔５〕〔１〕〜〔３〕のいずれか１項に記載の消臭剤を含む洗浄剤。
〔６〕〔１〕〜〔３〕のいずれか１項に記載の消臭剤を含む排泄物処理材。
【発明の効果】
【０００８】
本発明によれば、高齢ネコの尿臭に対し消臭効果を有する香料組成物、およびこれを含有する消臭剤を提供することができる。
【発明を実施するための形態】
【０００９】
本発明の消臭剤は、セダーウッド油、パインニードル系香料、サンダルウッド系香料、カンファー、ヒノキ、ヒバ、パチュリ、ユーカリ、アビエス、ウィンターグリーン、カシア、カユプテ、クベブ、シプレス、ジュニパー、フランキンセンス及びローズマリーからなる群より選ばれる１種以上の香料成分を含む。これらのうち、パインニードル系香料、アビエス、カユプテ、カンファー、クベブ、シプレス、ジュニパー、及びローズマリーは、若干刺激性のある（鼻にツンと来る）ウッディ系の香りを有する。セダーウッド油、サンダルウッド系香料、ウィンターグリーン、カシア、パチュリ、ヒノキ、ヒバ及びフランキンセンスは、重たく長く続きするウッディ系の香りを有する。
【００１０】
パインニードル系香料は、パインニードル油（松葉油）等の天然香料であってもよいし、パインニードル調の香調となるように成分を配合した組成物等の合成香料でもよい。
【００１１】
パインニードル系香料の主要成分は、様々なものがあり、例えば、酢酸ボルニル等のエステル系、α−ピネン（Ｐｉｎｅｎｅ）、β−ピネン、ミルセン、δ−リモネン（Ｌｉｍｏｎｅｎｅ）、カンフェン、β−フェランドレン等のモノテルペン炭化水素系、β−カリオフィレン、δ−カジネン、ゲルマクレンＤ等のセキステルペン炭化水素が挙げられる。主要成分の一般的な組成の例を挙げると、例えばα−ピネン４６．０３質量％、カンフェン４．４６質量％、β−ピネン１８．８９質量％、ミルセン５．７１質量％、γ−３−カレン４．８７質量％、リモネン６．４９質量％、ロンギフォレン１．９０質量％、β−カリオフィレン１．８５質量％（パインニードル系香料全体に対する質量％）である。
【００１２】
サンダルウッド系香料は、サンダルウッド油等の天然香料でもよいし、サンダルウッド調の香調となるように成分を配合した組成物等の合成香料でもよい。サンダルウッド系香料の主要成分は、様々なものがあり、例えば、α−およびβ−サンタロール、イソボルニル、イソカンフィルまたはイソフェンキルが置換したシクロヘキサノールの混合物、トランス−３−イソカンフィルシクロヘキサノールが例示される。
【００１３】
カンファー（Ｃ10Ｈ16Ｏ、１，７，７−トリメチルビシクロ［２．２．１］ヘプタン−２−オン）は、クスノキなどの植物から抽出、結晶化してもよいし、合成された化合物でもよい。
【００１４】
ヒノキは、ヒノキの樹木から抽出されるヒノキ精油等の天然香料であってもよいし、ヒノキ調の香調となるように成分を配合した組成物等の合成香料でもよい。
【００１５】
ヒバは、ヒバ精油等の天然香料であってもよいし、ヒバ調の香調となるように成分を配合した組成物等の合成香料でもよい。
【００１６】
パチュリ（パチョリ、パチュリー）は、パチュリの乾燥葉から抽出されるパチュリ精油等の天然香料であってもよいし、パチュリ調の香調となるように成分を配合した組成物等の合成香料でもよい。
【００１７】
ユーカリは、ユーカリ属植物（ユーカリプタス・グロブラスなど）から抽出されるユーカリ精油等の天然香料であってもよいし、ユーカリ調の香調となるように成分を配合した組成物等の合成香料でもよい。
【００１８】
アビエスは、シベリアモミの樹木から抽出される精油等の天然香料であってもよいし、該精油と同様の香調となるように成分を配合した組成物等の合成香料でもよい。
【００１９】
ウィンターグリーンは、チェッカーベリーなどの植物から抽出される精油等の天然香料であってもよいし、該精油と同様の香調となるように成分を配合した組成物等の合成香料でもよい。
【００２０】
カシアは、天然香料でも合成香料でもよい。
【００２１】
カユプテは、カユプテなどの植物の枝、葉等から抽出される精油等の天然香料であってもよいし、該精油と同様の香調となるように成分を配合した組成物等の合成香料でもよい。
【００２２】
クベブは、天然精油であってもよいし、該精油と同様の香調となるように成分を配合した組成物等の合成香料でもよい。
【００２３】
シプレス（サイプレス）は、イタリアイトスギ等のヒノキ科植物から抽出される精油等の天然香料であってもよいし、該精油と同様の香調となるように成分を配合した組成物等の合成香料でもよい。
【００２４】
ジュニパーは、ジュニパーベリーの実から抽出される天然精油であってもよいし、該精油と同様の香調となるように成分を配合した組成物等の合成精油でもよい。
【００２５】
フランキンセンス（乳香）は、ボスウェリア属植物の樹木から分泌される樹脂であってもよいし、該樹脂と同様の香調となるように成分を配合した組成物等の合成香料でもよい。
【００２６】
ローズマリーは、ローズマリーの生葉又は乾燥葉から抽出される精油であってもよいし、該樹脂と同様の香調となるように成分を配合した組成物等の合成香料でもよい。
【００２７】
各香料成分の含有量は、目的に応じて適宜調整すればよい。好ましくは水を除く消臭剤の全体に対し各成分の合計量が好ましくは１０質量％以上、より好ましくは２０質量％以上である。上限は１００質量％でもよいが、好ましくは５０質量％以下、より好ましくは４０質量％以下である。
香料成分がセダーウッド油を含む場合、水を除く消臭剤の全量に対し１質量％以上であることが好ましく、５質量％以上であることがより好ましい。上限は、２０質量％以下であることが好ましく、１５質量％以下であることがより好ましい。従って、セダーウッド油の含有量は、１〜２０質量％であることが好ましく、５〜１５質量％であることがより好ましい。
香料成分がパインニードル系香料を含む場合、水を除く消臭剤の全量に対し１質量％以上であることが好ましく、５質量％以上であることがより好ましい。上限は、２０質量％以下であることが好ましく、１５質量％以下であることがより好ましい。従って、パインニードル系香料の含有量は、１〜２０質量％であることが好ましく、５〜１５質量％であることがより好ましい。
香料成分がサンダルウッド系香料を含む場合、水を除く消臭剤の全量に対し０．０１質量％以上であることが好ましく、０．１質量％以上であることがより好ましい。上限は、１０質量％以下であることが好ましく、５質量％以下であることがより好ましい。従って、サンダルウッド系香料の含有量は、０．０１〜１０質量％であることが好ましく、０．１〜５質量％であることがより好ましい。
香料成分がカンファーを含む場合、水を除く消臭剤の全量に対し０．０１質量％以上であることが好ましく、０．１質量％以上であることがより好ましい。上限は、５質量％以下であることが好ましく、１質量％以下であることがより好ましい。従って、カンファーの含有量は、０．０１〜５質量％であることが好ましく、０．１〜１質量％であることがより好ましい。
【００２８】
本発明の消臭剤は、ムスク系香料をさらに含んでいてもよい。ムスク系香料は、天然香料であるムスクでもよいし、ムスク調の香調となるように成分を配合した組成物等の合成香料でもよい。合成香料としては、１，３，４，６，７，８−ヘキサヒドロ−４，６，６，７，８，８−ヘキサメチルシクロペンタ−γ−２−ベンゾピラン等のヘキサメチルヘキサヒドロシクロペンタベンゾピラン、ムスコン、シベトン、シクロペンタデカノン、シクロヘキサデセノン、シクロペンタデカノリド、エチレンブラシレート、ムスクケトン、ムスクチベテン、セレストリド、トナリド、ガラクソリドが例示される。
【００２９】
ムスク系香料の含有量は、水を除く消臭剤の全量に対し５質量％以上であることが好ましく、１０質量％以上であることがより好ましい。上限は、２０質量％以下であることが好ましく、１５質量％以下であることがより好ましい。従って、ムスク系香料の含有量は、５〜２０質量％であることが好ましく、１０〜１５質量％であることがより好ましい。
【００３０】
本発明の消臭剤は、セダーウッド油、パインニードル系香料、サンダルウッド系香料及びカンファーからなる群より選ばれる１種以上の成分を少なくとも含むことが好ましく、Ａ：パインニードル系香料及びカンファーからなる群より選ばれる１種以上、及び、Ｂ：セダーウッド油及びサンダルウッド系香料からなる群より選ばれる１種以上を少なくとも含むことがより好ましい。Ａ成分はカンファーを少なくとも含むことが好ましい。Ｂ成分はセダーウッド油を含むことが好ましい。本発明の消臭剤は、Ａ成分及びＢ成分を少なくとも含み、かつ、Ａ成分がカンファーを、Ｂ成分がセダーウッド油をそれぞれ含むことが好ましい。これにより、高齢ネコを含むネコの尿臭の消臭効果が高まり、長期間持続させることができる。
【００３１】
Ａ成分とＢ成分との質量比は、特に限定されないが、Ａ／Ｂが０．１〜１０であることが好ましく、０．２〜３であることがより好ましく、０．５〜１．５であることがさらに好ましい。これにより、消臭効果を向上させることができる。
【００３２】
Ａ成分の含有量は、水を除く消臭剤の全量に対し２質量％以上であることが好ましく、５質量％以上であることがより好ましい。上限は、２５質量％以下であることが好ましく、２０質量％以下であることがより好ましい。従って、Ａ成分の含有量は、２〜２５質量％であることが好ましく、５〜２０質量％であることがより好ましい。
【００３３】
Ｂ成分の含有量は、水を除く消臭剤の全量に対し２質量％以上であることが好ましく、５質量％以上であることがより好ましい。上限は、３０質量％以下であることが好ましく、２０質量％以下であることがより好ましい。従って、Ｂ成分の含有量は、２〜３０質量％であることが好ましく、５〜２０質量％であることがより好ましい。
【００３４】
本発明の消臭剤は、上記の成分以外の任意の香料を含んでいてもよい。任意の香料としては、例えば「Ｐｅｒｆｕｍｅ  ａｎｄ  Ｆｌａｖｏｒ  Ｃｈｅｍｉｃａｌｓ  」，Ｖｏｌ．Ｉａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）及び「合成香料  化学と商品知識」、印藤元一著、化学工業日報社（１９９６）及び「香りの百科」、日本香料協会編、朝倉書店（１９８９）及び「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）及び「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  ＬａｊａｕｊｉｓＡｎｏｎｉｓ，Ａｌｌｕｒｅｄ  Ｐｕｂ．Ｃｏ．（１９９３）等に記載の香料成分を挙げることができる。香料全体に対するセダーウッド油、パインニードル系香料、サンダルウッド系香料、カンファー、ヒノキ、ヒバ、パチュリ、ユーカリ、アビエス、ウィンターグリーン、カシア、カユプテ、クベブ、シプレス、ジュニパー、フランキンセンス及びローズマリーの合計含有量は、１０〜５０質量％が好ましく、２０〜４０質量％がより好ましい。
【００３５】
本発明の消臭剤は、香料用溶剤及び／又は香料安定化剤をさらに含んでもよい。香料用溶剤としては、エタノール、アセチン（トリアセチン）、ヘキシレングリコール、プロピレングリコール、１，３−ブチレングリコール、ジプロピレングリコール等が例示される。香料用溶剤は１種単独で用いてもよいし、２種以上を適宜組み合わせて用いてもよい。
【００３６】
香料安定化剤としては、ジブチルヒドロキシトルエン、ブチルヒドロキシアニソール、ビタミンＥとその誘導体、カテキン化合物、フラボノイド化合物、ポリフェノール化合物等が例示される。香料安定化剤は、１種単独で又は２種以上を適宜組み合わせて用いることができる。
【００３７】
本発明の消臭剤には、ペットの消臭目的で通常用いる任意成分をさらに含んでもよい。任意成分は１種単独で又は２種以上を適宜組み合わせて用いることができる。任意成分としては、抗菌剤、他の消臭剤（本発明の消臭剤の有効成分以外の消臭剤）、殺菌剤、防腐剤、防カビ剤、有機酸及び／又はその塩等が例示される。このうち、抗菌剤、他の消臭剤を含むことが好ましい。
【００３８】
本発明の消臭剤は、ネコ用の消臭剤、中でも成年以上（１歳以上）、好ましくは高齢ネコ用（通常、７歳以上）の尿臭消臭剤として好適である。消臭剤は、噴霧対象、目的に応じて、空間消臭剤（芳香剤、空気洗浄剤など）、衣類消臭剤、排泄物用消臭剤などとして利用してもよい。消臭剤は、溶液、スプレー、クリーム、ペースト、ゲル、ジェル、粉末、顆粒等の形態で使用すればよく、スプレーであることが好ましい。本発明の消臭剤がスプレー剤である場合、スプレー剤は、エアゾールタイプ、ポンプタイプのいずれであってもよい。スプレー剤は、ネコの排泄物、排泄物を吸収したシート、ネコ砂、衣類、空間（室内など）等に噴霧して用いることができる。
【００３９】
本発明の消臭剤は、洗浄剤として利用してもよい。洗浄剤としては、ネコ又は他の動物の皮膚用洗浄剤、ネコ又は他の動物の毛髪用洗浄剤、家庭製品用洗浄剤、ペット用品用洗浄剤が例示される。
【００４０】
洗浄剤は通常、洗浄成分を含む。洗浄成分としては、それぞれの用途に応じた洗浄成分を適宜選択して使用すればよく、各種界面活性剤、エタノールなど溶剤等が例示される。洗浄剤の製造方法は特に限定されないが、本発明の消臭剤を構成する成分と洗浄成分とを常法により混合又は分散させる方法が例示される。
【００４１】
洗浄剤の全量に対する尿臭消臭剤の含有量は、０．０５〜２質量％が好ましく、０．１〜１質量％がより好ましい。
【００４２】
本発明の消臭剤は、ネコ砂などの排泄物処理材として利用してもよい。排泄物処理材は通常、消臭剤を担体に担持させたものである。担体としては、鉱物系材料、天然の砂、ゼオライト、シリカゲル等の無機物、紙系材料、葉粉末、おから、米ぬか等の有機物が例示される。鉱物系材料としては、モンモリロナイト、バイデライト、ノントロナイト、サポナイト、ヘクトライト、ソーコナイト、スチブンサイト等のスメクタイト類、膨潤性の雲母等の水膨潤性粘土鉱物が例示される。紙系材料としては、パルプ、パルプスラッジが例示される。固形物は、１種単独で又は２種以上を適宜組み合わせて用いることができる。固形物は、紙系材料、鉱物が好ましい。
【００４３】
担体は通常、形状、球状、立方体状、円柱状、角柱状、顆粒状、タブレット状等の形状（好ましくは柱状）である。鉱物の場合これらの形状への成形方法は特に限定されず、造粒成形が例示される。造粒成形としては、圧縮成形法、打錠成形法、転動造粒法、押出造粒法、噴霧造粒法などが例示される。担体のサイズは特に限定されないが、最小方向にける粒径が０．５〜８ｍｍであることが好ましい。担体のアスペクト比は、１〜２０であることが好ましい。これにより、取扱いが容易となり、膨潤固化性が良好となり、固化物の取除きも容易となり得る。アスペクト比の測定は、ノギス等により２次元形状物の長辺と短辺を測定し、その比率を計算して求めればよい。
【００４４】
担体の重量は、排泄物処理材全量に対して９０〜９９．９９９質量％が好ましく、９５〜９９．９９質量％がより好ましい。これにより、排泄物処理材として必要な尿等の液の吸収速度、液に対する膨潤性、固化性等が満たされる。
【００４５】
排泄物処理材全量に対する尿臭消臭剤の含有量は、０．０１〜１質量％が好ましく、０．０１〜０．５質量％がより好ましい。
【００４６】
排泄物処理材は、抗菌剤を含んでもよい。抗菌剤としては、銅系抗菌剤が例示される。これにより、消臭効果をより高めることができる。銅系抗菌剤としては、硫酸銅が例示される。抗菌剤の含有量は、排泄物処理材の全量に対し０．００１〜０．０１質量％が好ましい。ネコ砂のような粒状物の場合、抗菌剤を多く含んだ粒子、例えば抗菌剤を０．１〜０．２質量％含有する粒子を、抗菌剤を含まない粒子に混合して全体の抗菌剤含有量を調整することもできる。
【００４７】
排泄物処理材は、尿検出剤を含んでいてもよい。尿検出剤は、尿に含まれる１以上の成分と反応して色素を生じる化合物が例示される。
【００４８】
排泄物処理材は、活性化剤を含んでいてもよく、担体が鉱物系担体の場合には含むことが好ましい。活性化剤は、担体を活性化する化合物であり、炭酸ナトリウムが例示される。
【００４９】
排泄物処理材は、吸収剤（材）を含んでいてもよい。吸収剤としては、高分子吸収剤が例示される。
【００５０】
排泄物処理材は、いわゆるネコ砂（ネコ用トイレ砂）として、ネコのトイレ等に敷くことにより、ネコの排泄物（尿、糞）を吸収し取り込んで消臭効果を発揮することができる。
【実施例】
【００５１】
以下の実施例において高齢ネコ尿を試料として消臭試験を行った。高齢ネコ尿は、７〜１６才のネコ２０頭から尿を採取し、それぞれ同量を混合して調製した。
【００５２】
実施例１〜１７及び比較例１〜６（各消臭成分単品の消臭効果の評価）
高齢ネコ尿１５μＬ、並びに、表１に示す各実施例の消臭成分及び各比較例の比較成分の単品それぞれ１０μＬを、プラスティック製シャンプーボトル（跳ね上げキャップ式３０ｍＬ容量）に入れた脱脂綿球に滴下した。シャンプーボトルのキャップを閉めた後、５分間放置した。その後シャンプーボトルの側面を押してキャップ口から出てきた臭気を嗅ぎ、消臭効果を以下の評価基準に基づきスコアリングして評価した。なお、評価は１０年以上の経験を持つ調香師１名によって、それぞれの香料単品の香調を勘案しながら行われた。結果を表１中に示す。
【００５３】
［消臭効果の評価基準］
３：非常によく消臭できている。
２：ほぼ、消臭できているが、かすかにネコ排泄物臭がする。
１：ネコ排泄物臭がする（消臭が不十分）
【００５４】
【表１】
0006581778.tif 000002
【００５５】
実施例１８〜２５（組成物の消臭効果の評価）
表２に示す処方に従い、ウッディタイプの香料組成物を調製した。実施例１における消臭成分の代わりに各香料組成物を用いたこと、放置時間を８時間としたことのほかは、実施例１と同様に行った。結果を表２に示す。
【００５６】
【表２】
0006581778.tif 000003
【００５７】
表１及び２の結果から、実施例のサンプルは比較例のサンプルと比較していずれも消臭効果に優れていることが分かる。中でも、実施例１８〜２５の組成物は、８時間という長期間の経過後にも高い消臭効果を示し、消臭持続性を有することが分かる。これらの結果は、本発明の消臭剤が高齢ネコの尿臭を消臭することができ、高い持続性を発揮できることを示している。
【００５８】
処方例１（鉱物系猫砂）
以下の処方にて常法により鉱物系猫砂を調製した。
本発明の尿臭消臭剤  ０．０５  質量％
炭酸ナトリウム      ３．０    質量％
抗菌剤              ０．００５質量％
ベントナイト        残部
計              １００        質量％
【００５９】
処方例２（紙系猫砂）
以下の処方にて常法により紙系猫砂を調製した。
本発明の尿臭消臭剤  ０．０２  質量％
高分子吸収剤        ８．０    質量％
抗菌剤              ０．００５質量％
色素                ０．００５質量％
パルプ              残部
計              １００        質量％
【００６０】
処方例３（消臭スプレー）
以下の処方の組成物をスプレー容器に常法により充填し、消臭スプレーを調製した。
本発明の尿臭消臭剤  ０．２  質量％
エタノール        １０．０質量％
界面活性剤          １．０  質量％
ｐＨ調整剤          ０．５  質量％
水                  残部
計              １００      質量％
【００６１】
処方例４（洗浄剤）
本発明の尿臭消臭剤  ０．５  質量％
エタノール          ７．０  質量％
界面活性剤          ６０．０  質量％
ｐＨ調整剤          １．０  質量％
水                  残部
計              １００      質量％